(57)【要約】【課題】切り屑を収納するための収納容器を、布台に格納する待機位置に移動可能な縁かがり縫いミシンの布屑収納装置を提供することを目的とする。【解決手段】縫製物をその上面で支持する布台（５）と、前記布台の一端側に近接して配置され、縫製に先立って縫製物の端縁を切断するための切断装置（６）と、前記切断装置により切断された切り屑を、下方に向けて案内する案内面が形成されたルーパーカバー（７）と、前記ルーパーカバーの案内面に沿って案内された切り屑を集めるための収納容器（８）とを備えた縁かがりミシンの布屑収納装置において、前記収納容器は、布台に格納される待機位置と、切り屑を収集する収集位置とに移動可能に支持されている構成とした。【選択図】図３
2004089558.tif 000002
【特許請求の範囲】
【請求項１】
縫製物をその上面で支持する布台と、
前記布台の一端側に近接して配置され、縫製に先立って縫製物の端縁を切断するための切断装置と、
前記切断装置により切断された切り屑を、下方に向けて案内する案内面が形成されたルーパーカバーと、
前記ルーパーカバーの案内面に沿って案内された切り屑を集めるための収納容器とを備えた縁かがりミシンの布屑収納装置において、
前記収納容器は、布台に格納される待機位置と、切り屑を収集する収集位置とに移動可能に支持されていることを特徴とする縁かがりミシンの布屑収納装置。
【請求項２】
請求項１記載のミシンの布屑収納装置において、
前記収納容器と布台は、一方にレールが、他方にこのレールに嵌合する溝が形成されていることを特徴とする縁かがりミシンの布屑収納装置。
【請求項３】
請求項１、２記載のミシンの布屑収納装置において、
前記収納容器と布台は、一方にヒンジ状フックが、他方にこのフックに係合する凹部を形成し、前記収納容器を待機位置と収集位置とに保持可能であることを特徴とする縁かがりミシンの布屑収納装置。
【発明の詳細な説明】
【０００１】
【発明の属する技術分野】
この発明は、縁かがりミシンの布屑収納装置に関するものである。
【０００２】
【従来の技術】
従来、縁かがり縫いミシンの布屑収納装置に関するものとして、例えば、実用新案登録第２５８４３５４号公報記載の装置が提案されている。この装置は、布屑を収容する端切れ入れケース２１の取付け部材２２が、ミシン底部のベース板２０付近に配設されている。この取付け部材２２が、本体機枠から引き出した使用位置と、本体機枠内に収納した収納位置とに移動可能に構成されている。そして、縫製開始前に取付け部材２２を使用位置に引き出した後、端切れ入れケース２１を取付け部材２２に装着する。また、縫製終了時には端切れ入れケース２１を脱着後、取付け部材２２をミシン本体機枠内に収納し、ミシンのケース等にコンパクトに収納できるようにしたものである。
【特許文献１】
実用新案登録第２５８４３５４号公報
【０００３】
【発明が解決しようとする課題】
しかしながら、従来の装置は、縫製終了後取付け部材２２を収納するためには、端切れ入れケース２１を取付け部材２２から必ず取り外す必要があった。このため、布屑の発生が少ない場合でも、布屑を処理する必要が生じた。また、ミシン本体と端切れ入れケース２１を個別に保管する必要があり、端切れ入れケース２１の紛失等が生じやすかった。
【０００４】
この発明は、上記従来の問題点を解決するためになされたものであって、切り屑を収納するための収納容器を、布台に格納することができる縁かがり縫いミシンの布屑収納装置を提供することを目的とする。
【０００５】
【課題を解決するための手段】
上記課題を解決するために、請求項１記載の発明は、
縫製物をその上面で支持する布台（５）と、
前記布台の一端側に近接して配置され、縫製に先立って縫製物の端縁を切断するための切断装置（６）と、
前記切断装置により切断された切り屑を、下方に向けて案内する案内面が形成されたルーパーカバー（７）と、
前記ルーパーカバーの案内面に沿って案内された切り屑を集めるための収納容器（８）とを備えた縁かがりミシンの布屑収納装置において、
前記収納容器は、布台に格納される待機位置と、切り屑を収集する収集位置とに移動可能に支持されている構成とした。
【０００６】
請求項１記載の発明によれば、収納容器は、待機位置と収集位置に移動可能に支持されている。このため、縫製終了後、収納容器内の切り屑が少ない場合、収納容器を待機位置に移動させたのち、そのままミシンを保管しても、切り屑が飛散することがない。そして、前記収納容器の支持構造は、布台を含むミシンフレームに対して、溝とレールの組み合せや、収納容器側面を支持する溝等が考えられる。
【０００７】
請求項２記載の発明は、請求項１記載のミシンの布屑収納装置において、
前記収納容器と布台は、一方にレール（５ｂ、５ｃ）が、他方にこのレールに嵌合する溝（８ｂ、８ｃ）が形成されている構成とした。請求項２記載の発明によれば、簡単な構成で収納容器の支持構造が構成される。
【０００８】
請求項３記載の発明は、請求項１、２記載のミシンの布屑収納装置において、前記収納容器と布台は、一方にヒンジ状フック（９ａ）が、他方にこのヒンジ状フックに係合する凹部（８ｄａ、８ｄｂ）を形成し、前記収納容器を待機位置と収集位置とに保持可能である構成とした。
【０００９】
請求項３記載の発明によれば、収納容器は、待機位置と収集位置に保持されるので、作業者の布屑収納容器の操作が容易になる。
【００１０】
【発明の実施の形態】
この発明の第１実施形態を図１〜図４に基づいて説明する。
【００１１】
図１に示すように、ミシン本体１は、アーム部２とベッド部３とより構成されている。アーム部２には、図示省略の針棒と、その下端に縫い針が装備されている。この縫い針とベッド部３内に設けられた図示省略のルーパーとの協働により、加工布の端縁に縁かがり縫目が形成される。
【００１２】
ベッド部３は、針板４とこの針板を囲むように配置された布台５等から構成されている。布台５の右端側には、固定メス６が設けられている。この固定メス６の上方には、ミシン主軸に連動して上下動する、図示省略の可動メスが設けられている。そして、これら固定メス６と可動メスとの協働により、縁かがり縫目の形成に先立って縫製物の端縁を切断するための切断装置が構成されている。
【００１３】
固定メス６の右側には、作業者に対向するようにルーパーカバー７が設けられている。ルーパーカバー７は、機枠に内蔵されたルーパーに糸通しを行なう際開閉できるように、下端縁において作業者に向けて回動可能に取り付けられている。また、ルーパーカバー７は、前記切断装置に近接した、左端側に凹状の案内面７ａが形成されている。案内面７ａは、切断装置により切断された切り屑を、下方に向けて所定位置に落下するように案内する。
【００１４】
ルーパーカバー７より反布送り方向側に延び出ている、布台５の延出部５ａには、切り屑を収納するための収納容器８が格納される。
【００１５】
布台５の延出部５ａは箱状で、その側板５ｄと底板５ｅの内側には、布送り方向Ｘと直交する方向に、それぞれレール５ｂ、５ｃが形成されている。また、針板側４には、布台側板５ｄに平行に、支持板９が設けられている。この支持体９の先端側には、ヒンジ状フック９ａが形成されている。ヒンジ状フック９ａは、支持板９の切欠け部９ｂから布台側板５ｄに向けて、円弧状に突出して形成され、その一端側が支持板９に接続されている。そして、ヒンジ状フック９ａは、弾性変形可能で、押圧すると支持板９に接近し、押圧を解除すると元の状態にもどる。
【００１６】
収納容器８は、箱状で、その上面が開口している。布台５の開口側に位置する、収納容器８の側部には、収納容器８を引き出す際に用いる操作用切欠け部８ａが形成されている。また、収納容器８の底面と側面には、それぞれ直線溝８ｂ、８ｃが形成されている。この収納容器８の直線溝８ｂ、８ｃは、布台５のレール５ｂ、５ｃにそれぞれ遊びをもって嵌合する。
【００１７】
また、支持板９と対向する側の収納容器８の側板８ｄには、凹部８ｄａ、８ｄｂと、ストッパー部８ｅが形成されている。凹部８ｄａ、８ｄｂは、支持板９のヒンジ状フック９ａに係合し、収納容器８を保持可能である。支持板９のヒンジ状フック９ａと収納容器８の凹部８ｄａが係合する位置が、収納容器８が布台５内部に格納された待機位置（図１に示す。）である。また、支持板９のヒンジ状フック９ａと収納容器８の凹部８ｄｂが係合する位置が、収納容器８が布台５引き出され、切り屑を収集する収集位置（図２に示す。）である。尚、この収集位置は、ルーパカバー案内面７ａの下部に収納容器８が位置する位置である。
【００１８】
収納容器のストッパー８ｅは、支持板９の先端部９ｃに当接可能に配置されている。作業者が待機位置を越えて、収納容器８を押し込もうとすると、収納容器のストッパー８ｅと支持板９の先端部９ｃが接触し、収納容器８の移動が停止される。
【００１９】
第１実施形態の動作について説明する。
【００２０】
最初に、作業者は収納容器８を布台５から引き出し、収納容器８を図２に示す収集位置に移動する。この収集位置は、支持板９のヒンジ状フック９ａと収納容器８の凹部８ｄｂが係合する位置である。そして、これらの係合により、作業者はその位置を容易に確認できる。
【００２１】
次に、収納容器８が収集位置に保持された状態で縫製を開始すると、縫製物の端縁は切断装置によって切断される一方、縫い針とルーパとの協働により縫製物の端縁にかがり縫目が形成される。そして、切断装置によって、切断された縫製物の切り屑は、ルーパーカバーの案内面７ａに沿って下降に案内された後、収納容器８に収納される。
【００２２】
次に、縫製が終了すると、収納容器８を、布台５方向に押し込み、収納容器を図１に示す布台下部の待機位置に移動する。この待機位置は、支持板９のヒンジ状フック９ａと収納容器８の凹部８ｄａの係合により、作業者が容易に確認できる。
【００２３】
第１実施形態によれば、収納容器８は、待機位置と収集位置に移動可能に支持されている。このため、縫製終了後、収納容器内の切り屑が少ない場合、収納容器を待機位置に移動させたのち、そのままミシンを保管しても、切り屑が飛散することがない。また、収納容器８は、ルーパーカバー７前面より作業者側に延出した布台５に収納されるので、収納容器８の移動操作が容易である。
【００２４】
また、前記収納容器８と布台５は、一方にヒンジ状フック９ａが、他方にこのフックに係合する凹部８ｄｂ、８ｄａを形成し、前記収納容器を待機位置と収集位置とに保持可能である構成とした。このため、収納容器は、待機位置と収集位置に保持されるので、作業者の布屑収納容器の操作が容易になる。
【００２５】
この発明は、上記実施形態に限定されることなく種々変更可能である。
例えば、上記実施形態では、収納容器８の直線溝８ｂ、８ｃと、布台５のレール５ｂ、５ｃにより、収納容器８は、待機位置と収集位置に移動可能に支持されている。これに代えて、支持板９と布台側板５ｄに、収納容器８の側面が遊びをもって嵌合するように構成することも容易に考えられる。
【００２６】
また、収納容器８は待機位置において、布台５の内部に格納されているが、これに代えて、布台５底面を上昇させて、その底部に布台５が格納されることも容易に考えられる。
【００２７】
支持板９のヒンジ９ａと、収納容器８の凹部８ｄａ，８ｄｂｂにより、収納容器を待機位置と収集位置に保持したが、これに代えて、支持板９に２個のヒンジを収納容器に１個の凹部を設けたり、その逆の構成をとることも容易に考えられる。
【００２８】
【発明の効果】
請求項１記載の発明によれば、収納容器は、待機位置と収集位置に移動可能に支持されている。このため、縫製終了後、収納容器内の切り屑が少ない場合、収納容器を待機位置に移動させたのち、そのままミシンを保管しても、切り屑が飛散することがない。
【００２９】
請求項２記載の発明によれば、レールと溝という簡単な支持構造なので、安価な装置が提供される。
【００３０】
請求項３記載の発明によれば、収納容器は、待機位置と収集位置に保持されるので、作業者の布屑収納容器の操作が容易になる。
【図面の簡単な説明】
【図１】本発明による第１実施形態の斜視図であり、収納容器が待機位置にある状態である。
【図２】本発明による第１実施形態の斜視図であり、収納容器が収集位置にある状態である。
【図３】第１実施形態の収納容器と布台の部分拡大図。
【図４】第１実施形態の収納容器と布台の部分拡大図。
【符号の説明】
５・・・布台
６・・・固定メス（切断装置）
７・・・ルーパーカバー
８・・・収納容器
５ｂ・・レール
５ｃ・・レール
８ｂ・・溝
８ｃ・・溝
９ａ・・ヒンジ状フック
８ｄａ・凹部
８ｄｂ・凹部
【図１】
2004089558.tif 000003
【図２】
2004089558.tif 000004
【図３】
2004089558.tif 000005
【図４】
2004089558.tif 000006